(57)【特許請求の範囲】
【請求項１】
記録媒体を支持する支持部と、
前記支持部に支持された前記記録媒体を一方向に駆動する駆動部と、
前記駆動部に駆動される前記記録媒体を加熱する加熱部と、
前記加熱部に加熱された前記記録媒体のうち複数の単位領域に区画された検出領域から放出される赤外線の線量に基づき、前記単位領域ごとに温度を検出する温度検出部と、
前記温度検出部の検出結果に応じて、前記支持部に対する前記記録媒体の浮き状態を判断する判断部と
を備え、
前記支持部は、前記記録媒体を案内する案内面を有し、
前記駆動部は、前記記録媒体の一部を挟持して前記記録媒体を前記案内面へ送るローラーを有し、
前記検出領域は、
前記記録媒体のうち前記ローラーに接触する第一部分と、
前記記録媒体のうち前記第一部分から外れた第二部分と
を含む記録媒体搬送装置。
【請求項２】
前記判断部は、検出された複数の前記単位領域の温度のうち最大値と最小値との差に基づいて前記浮き状態を判断する
請求項１に記載の記録媒体搬送装置。
【請求項３】
記録媒体を支持する支持部と、
前記支持部に支持された前記記録媒体を一方向に駆動する駆動部と、
前記駆動部に駆動される前記記録媒体を加熱する加熱部と、
前記加熱部に加熱された前記記録媒体のうち複数の単位領域に区画された検出領域から放出される赤外線の線量に基づき、前記単位領域ごとに温度を検出する温度検出部と、
前記温度検出部の検出結果に応じて、前記支持部に対する前記記録媒体の浮き状態を判断する判断部と
を備え、
前記判断部は、検出された複数の前記単位領域の温度のうち最大値と最小値との差に基づいて前記浮き状態を判断する記録媒体搬送装置。
【請求項４】
前記判断部は、前記最大値と前記最小値との差が所定値を超える場合、前記浮き状態が異常と判断する
請求項２又は請求項３に記載の記録媒体搬送装置。
【請求項５】
前記判断部によって前記浮き状態が異常と判断された場合に前記加熱部による加熱を停止させる制御部
を更に備える請求項１から請求項４のうちいずれか一項に記載の記録媒体搬送装置。
【請求項６】
前記温度検出部は、前記記録媒体から放出される前記赤外線が斜入射するように配置されている
請求項１から請求項５のうちいずれか一項に記載の記録媒体搬送装置。
【請求項７】
記録媒体に流体を噴射する噴射ヘッドと、
請求項１から請求項６のうちいずれか一項に記載の記録媒体搬送装置と
を備える記録装置。
【発明の詳細な説明】
【技術分野】
【０００１】
本発明は、記録媒体搬送装置及び記録装置に関するものである。
【背景技術】
【０００２】
記録媒体に流体を噴射して画像や文字等を記録する記録装置の一つとして、インクジェット式プリンターが知られている（例えば、特許文献１参照）。このようなインクジェット式プリンターにおいて、例えば支持部材によって記録媒体を支持すると共に、ローラーによって記録媒体を支持部材に付勢しつつ搬送する搬送装置が用いられた構成が知られている。
【先行技術文献】
【特許文献】
【０００３】
【特許文献１】特開２００９−１９６１１１号公報
【発明の概要】
【発明が解決しようとする課題】
【０００４】
しかしながら、上記構成においては、例えば記録媒体のうちローラーによって付勢されない部分が支持部材から離れてしまい、いわゆる浮きが発生する場合がある。支持部材に対して浮きが発生した状態で記録媒体の搬送を行うと詰まりなどの搬送不良が発生する場合がある。このため、記録媒体の浮きをいち早く検出し、高精度の搬送を行う技術が求められている。
【０００５】
以上のような事情に鑑み、本発明は、高精度の搬送を行うことが可能な記録媒体搬送装置及び記録装置を提供することを目的とする。
【課題を解決するための手段】
【０００６】
本発明に係る記録媒体搬送装置は、記録媒体を支持する支持部と、前記支持部に支持された前記記録媒体を一方向に駆動する駆動部と、前記駆動部に駆動される前記記録媒体を加熱する加熱部と、前記加熱部に加熱された前記記録媒体のうち複数の単位領域に区画された検出領域から放出される赤外線の線量に基づき、前記単位領域ごとに温度を検出する温度検出部と、前記温度検出部の検出結果に応じて、前記支持部に対する前記記録媒体の浮き状態を判断する判断部とを備える。
【０００７】
本発明によれば、加熱部に加熱された記録媒体のうち複数の単位領域に区画された検出領域から放出される赤外線の線量に基づき単位領域ごとに温度を検出する温度検出部と、当該温度検出部の検出結果に応じて支持部に対する記録媒体の浮き状態を判断する判断部とを有するので、記録媒体の浮き状態を高精度に検出することができる。これにより、高精度の搬送を行うことが可能となる。
【０００８】
上記の記録媒体搬送装置において、前記支持部は、前記記録媒体を案内する案内面を有し、前記駆動部は、前記記録媒体の一部を挟持して前記記録媒体を前記案内面へ送るローラーを有し、前記検出領域は、前記記録媒体のうち前記ローラーに接触する第一部分と、前記記録媒体のうち前記第一部分から外れた第二部分とを含むことが好ましい。  
【０００９】
本発明によれば、検出領域として、記録媒体のうちローラーに接触するため浮きが比較的生じにくい第一部分と、記録媒体のうちローラーから離れているため浮きが比較的生じやすい第二部分とが含まれるので、記録媒体の浮きの有無をより確実に検出することができる。
【００１０】
上記の記録媒体搬送装置において、前記判断部は、検出された複数の前記単位領域の温度のうち最大値と最小値との差に基づいて前記浮き状態を判断することが好ましい。  
本発明によれば、判断部が検出された複数の単位領域の温度のうち最大値と最小値との差に基づいて浮き状態を判断することとしたので、記録媒体の浮き状態を高精度に検出することができる。
【００１１】
上記の記録媒体搬送装置において、前記判断部は、前記最大値と前記最小値との差が所定値を超える場合、前記浮き状態が異常と判断することが好ましい。  
本発明によれば、判断部が最大値と最小値との差が所定値を超える場合、浮き状態が異常と判断することとしたので、記録媒体の浮き状態を高精度に検出することができる。
【００１２】
上記の記録媒体搬送装置において、前記判断部によって前記浮き状態が異常と判断された場合に前記加熱部による加熱を停止させる制御部を更に備えることが好ましい。  
本発明によれば、判断部によって浮き状態が異常と判断された場合に加熱部による加熱を停止させる制御部を更に備えるので、記録媒体の温度が上昇し過ぎるのを防ぐことができる。
【００１３】
上記の記録媒体搬送装置において、前記温度検出部は、前記記録媒体から放出される赤外線が斜入射するように配置されていることが好ましい。  
本発明によれば、温度検出部が記録媒体に対して赤外線が斜入射するように配置されているので、記録媒体の浮き状態をより高精度に検出することができる。
【００１４】
本発明に係る記録装置は、記録媒体に流体を噴射する噴射ヘッドと、前記記録媒体を支持する支持部と、前記支持部に支持された前記記録媒体を一方向に駆動する駆動部と、前記駆動部に駆動される前記記録媒体を加熱する加熱部と、前記加熱部に加熱された前記記録媒体のうち複数の単位領域に区画された検出領域について前記単位領域ごとに温度を検出する温度検出部と、前記温度検出部の検出結果に応じて、前記支持部に対する前記記録媒体の浮き状態を判断する判断部とを備える。
【００１５】
本発明によれば、加熱部に加熱された記録媒体のうち複数の単位領域に区画された検出領域から放出される赤外線の線量に基づき単位領域ごとに温度を検出する温度検出部と、当該温度検出部の検出結果に応じて支持部に対する記録媒体の浮き状態を判断する判断部とを有するので、記録媒体の浮き状態を高精度に検出することができる。これにより、高精度の搬送を行うことが可能となるため、噴射された流体の定着位置精度を高めることができる。これにより、記録精度の高い記録装置を提供することができる。
【図面の簡単な説明】
【００１６】
【図１】本発明の実施の形態に係るプリンターの構成を示す図。
【図２】本実施形態に係るプラテンヒーター部の構成を示す側面図。
【図３】本実施形態に係る温度検出部の一部の構成を示す斜視図。
【図４】本実施形態に係るプラテンヒーター部の構成を示す側面図。
【図５】本実施形態に係る温度検出部の検出結果の一例を示す図。
【図６】本実施形態に係るプリンターの動作の一例を示すフローチャート。
【発明を実施するための形態】
【００１７】
以下、本発明に係る記録装置の各実施形態について、図を参照して説明する。なお、以下の説明に用いる各図面では、各部材を認識可能な大きさとするため、各部材の縮尺を適宜変更している。本実施形態では、本発明に係る記録装置として、インクジェット式プリンター（以下、単にプリンターと称する）を例示する。
【００１８】
図１は、本発明の実施形態におけるプリンター１を示す構成図である。  
プリンター１は、比較的大型のメディア（記録媒体）Ｍを扱うラージフォーマットプリンター（ＬＦＰ）である。本実施形態のメディアＭは、例えば塩化ビニル系フィルム、ＰＥＴなどの樹脂材料を用いて形成されている。メディアＭは、例えば光透過性の材料を用いて形成することができる。
【００１９】
図１に示すように、プリンター１は、ロール・ツー・ロール方式でメディアＭを搬送する搬送部（記録媒体搬送装置）２と、メディアＭに対してインク（流体）を噴射して画像や文字等を記録する記録部３と、メディアＭを加熱する加熱部４とを有する。これら各構成部は、本体フレーム５に支持されている。また、プリンター１は、搬送部２、記録部３及び加熱部４を統括的に制御する制御部ＣＯＮＴを有している。
【００２０】
搬送部２は、ロール状のメディアＭを送り出すロール２１と、送り出されたメディアＭを巻き取るロール２２とを有する。搬送部２は、ロール２１とロール２２との間の搬送経路においてメディアＭを搬送する。また、搬送部２は、メディアＭに張力を付与するテンションローラー２５を有する。テンションローラー２５は、揺動フレーム２６に支持されている。
【００２１】
記録部３は、搬送されるメディアＭに対してインクを噴射するインクジェットヘッド（記録ヘッド）３１と、インクジェットヘッド３１を搭載して幅方向（図１において紙面垂直方向）に往復移動自在なキャリッジ３２とを有する。インクジェットヘッド３１は、複数のノズルを備え、メディアＭとの関係で選択されて浸透乾燥や蒸発乾燥を必要とするインクを噴射可能な構成となっている。本実施形態のインクジェットヘッド３１は、蒸発乾燥を必要とする溶剤系インクや水系インクを噴射可能な構成となっている。
【００２２】
加熱部４は、メディアＭを加熱することによりインクをメディアＭに速やかに乾燥定着させ、滲みやぼやけを防止して、画質を高める構成となっている。加熱部４は、記録部３が設けられた位置よりも搬送方向上流側でメディアＭを予熱するプレヒーター部４１と、記録部３と対向する位置でメディアＭを加熱するプラテンヒーター部４２と、記録部３が設けられた位置よりも搬送方向下流側でメディアＭを加熱するアフターヒーター部４３とを有する。
【００２３】
図２は、搬送部２の一部の構成を示す側面図である。図３は、インクジェットヘッド３１に対向する部分の構成を示す斜視図である。  
図１〜図３に示すように、搬送部２は、支持部５１、駆動部５２、加熱部５３、温度検出部５４及び判断部５５を有している。
【００２４】
支持部５１は、メディアＭを支持する。支持部５１は、例えば直方体の箱状に形成されており、インクジェットヘッド３１に平面視で重なる位置に配置されている。支持部５１の内部には、ヒーター４２ａが複数設けられている。案内面５１ａは、例えば平坦な平面状に形成されている。
【００２５】
駆動部５２は、メディアＭを案内面５１ａへ送る搬送ローラー対２３を有している。搬送ローラー対２３は、メディアＭを厚さ方向に挟む位置に設けられている。搬送ローラー対２３は、不図示の回転駆動部によって回転可能に設けられている。回転駆動部は、搬送ローラー対２３のうち一方のみに回転駆動力を付与する構成であっても良いし、搬送ローラー対２３の両方に対して回転駆動力を付与する構成であっても良い。
【００２６】
加熱部５３は、駆動部５２によって駆動されるメディアＭを加熱する。加熱部５３は、赤外線ヒーター５６を有している。赤外線ヒーター５６は、筐体５６ａ、発熱部５６ｂ及び反射部５６ｃを有している。
【００２７】
赤外線ヒーター５６は、支持部５１の案内面５１ａと対向する位置に設けられている。赤外線ヒーター５６は、案内面５１ａに対し所定距離をあけ、且つ、支持部５１の幅方向に亘って延在して設けられている。したがって、赤外線ヒーター５６は、案内面５１ａに直接的に赤外線エネルギーを照射することにより、支持部５１を輻射加熱すると共に、案内面５１ａ上にメディアＭが支持されている場合には、メディアＭの記録面側を直接的に輻射加熱する構成となっている。
【００２８】
赤外線ヒーター５６は、輻射スペクトルのピークの主要部が２μｍ〜４μｍの領域を含む波長を有する電磁波を照射する構成となっている。これにより、赤外線ヒーター５６は、周囲の水分子を含まない構成部材などをあまり昇温させずに、インクに含まれる水分子を振動させて、その摩擦熱により乾燥を速やかに促すことができる。したがって、赤外線エネルギーの大部分をインクに吸収させ、記録面上に着弾したインクを集中的に加熱することができる。
【００２９】
赤外線ヒーター５６は、メディアＭの搬送方向に複数設けられている。本実施形態では、例えば赤外線ヒーター５６は、プラテンヒーター部４２及びアフターヒーター部４３にそれぞれ設けられている。プラテンヒーター部４２に設けられた赤外線ヒーター５６と、アフターヒーター部４３に設けられた赤外線ヒーター５６とは、同一構成である。
【００３０】
温度検出部５４は、加熱部５３に加熱されたメディアＭの温度を検出する。温度検出部５４としては、例えば赤外線アレイセンサーが用いられている。温度検出部５４は、例えば赤外線ヒーター５６の筐体５６ａに取り付けられている。温度検出部５４は、メディアＭのうち所定の検出領域５７の温度を検出する。
【００３１】
温度検出部５４は、メディアＭに対して幅方向にずれた位置に設けられている。このため、温度検出部５４には、メディアＭから放出される赤外線が斜入射する。なお、温度検出部５４は、プラテンヒーター部４２に設けられた赤外線ヒーター５６と、アフターヒーター部４３に設けられた赤外線ヒーター５６とのそれぞれに設けられている。プラテンヒーター部４２側に設けられた温度検出部５４は、メディアＭのうちインクジェットヘッド３１に対向する領域を検出する。
【００３２】
検出領域５７は、メディアＭのうち搬送ローラー対２３に接触する第一部分ＭＡ１と、第一部分ＭＡ１から外れた第二部分ＭＡ２と、を含む部分に設定されている。検出領域５７は、複数の単位領域５７ａに区画されている。単位領域５７ａは、それぞれ正方形に設定され、例えば８行×８列のマトリクス状に配置されている。
【００３３】
温度検出部５４は、複数の単位領域５７ａに区画された所定の検出領域５７から放出される赤外線の線量を検出する。温度検出部５４は、検出された線量に基づいて、複数の単位領域５７ａごとに温度を求める。
【００３４】
判断部５５は、例えば制御部ＣＯＮＴの一部に設けられている。判断部５５は、温度検出部５４の検出結果に応じて、支持部５１に対するメディアＭの浮き状態を判断する。ここで、「浮き状態」は、メディアＭが支持部５１の案内面５１ａから離れている状態、すなわち、メディアＭが案内面５１ａから浮いている状態を意味する。
【００３５】
次に、上記構成のプリンター１の動作を説明する。  
ロール２１から送り出されたメディアＭは、搬送ローラー対２３によって案内面５１ａ上に案内される。その後メディアＭは、案内面５１ａに倣った状態で搬送ローラー対２３によって搬送方向の下流側へ搬送される。
【００３６】
メディアＭが印字領域まで搬送されてくると、インクジェットヘッド３１により印字が開始される。インクジェットヘッド３１は、キャリッジ３２に搭載されて、幅方向に往復移動しながら印字を行う。
【００３７】
本実施形態では、まず、案内面５１ａ上に配置されたメディアＭを加熱する赤外線ヒーター５６により、インクジェットヘッド３１から噴射されたインクを乾燥させる。この赤外線ヒーター５６は、案内面５１ａ上に設定された所定の赤外線照射範囲に向けて赤外線を照射する。
【００３８】
赤外線照射範囲には、インクジェットヘッド３１による印字領域が含まれているため、インクを着弾させた記録面の領域からキャリッジ３２が退避すると、当該領域は、輻射スペクトルのピークの主要部が２μｍ〜４μｍの領域を含む波長で直接に輻射加熱される。このときの温度は、例えば４０℃〜５５℃程度である。そうすると、着弾したインクに含まれる溶媒分子（水分子など）が振動し、その摩擦熱により溶媒の蒸発が促され、メディアＭに対して滲み等を生じさせることなくインクが乾燥する。
【００３９】
ここで、図４に示すように、例えばメディアＭの一部が案内面５１ａに対して離れた状態（浮き状態）になる場合がある。なお、搬送ローラー対２３に接触する第一部分ＭＡ１よりも、第一部分ＭＡ１から外れた第二部分ＭＡ２の方が、浮き状態が生じやすくなる。浮き状態が生じたままメディアＭを搬送すると、当該メディアＭのうちの浮いている部分と案内面５１ａとの距離によっては、メディアＭがインクジェットヘッド３１などの部位に接触し、詰まりが発生する可能性がある。
【００４０】
これに対して、本実施形態では、温度検出部５４により、加熱されたメディアＭのうち検出領域５７の温度を検出する。具体的には、温度検出部５４は、複数の単位領域５７ａから放出される赤外線の線量を検出し、検出された線量に基づいて、単位領域５７ａごとに温度を求める。温度検出部５４がメディアＭから発する赤外線を検出する構成であるため、メディアＭが光透過性の高い材料によって形成されていても、確実に検出することができる。温度検出部５４による温度検出のタイミングとしては、キャリッジ３２が検出領域５７を通過する場合以外であれば良い。
【００４１】
図５は、温度検出部５４による検出結果の一例を示す図である。検出領域５７には、温度が３０℃〜３５℃の領域（１）と、温度が３５℃〜４０℃の領域（２）と、温度が４０℃〜４５℃の領域（３）と、温度が４５℃〜５０℃の領域（４）と、温度が５０℃〜５５℃の領域（５）とが形成されている。
【００４２】
メディアＭに浮き状態が生じていると、浮いている部分は他の部分よりも赤外線ヒーター５６からの加熱量が多くなる。このため、検出結果には、局所的に温度が高くなっている部分が生じたり、検出領域５７に温度分布が生じたりする。また、本実施形態では、検出領域５７から温度検出部５４に対して赤外線が斜入射するため、温度分布が形成されやすくなる。更に、本実施形態では、搬送ローラー対２３に接触する第一部分ＭＡ１と、当該第一部分ＭＡ１よりも浮き状態が生じやすい第二部分ＭＡ２とを含む部分に検出領域５７が設定されているため、温度分布が形成されやすくなる。判断部５５は、この結果を用いて、メディアＭの浮き状態を判断する。
【００４３】
この動作において、判断部５５は、浮き状態として、例えばメディアＭのうち案内面５１ａから所定距離を超えて離れた部分の有無を判断する。メディアＭは、案内面５１ａからの距離が大きいほど温度が高くなるため、例えば当該距離と温度との関係を予め実験やシミュレーションなどによって求めておき、当該関係に基づいて浮き状態を判断することができる。
【００４４】
判断部５５は、検出された複数の単位領域の温度のうち最大値に基づいて浮き状態を判断する。具体的には、１回の測定で得られる６４素子（８行×８列）のうち均一な温度範囲を測定している素子のデータ同士を比較し、所定の閾値を超える場合に、浮き状態が異常と判断する。ここで、浮き状態が異常とは、メディアＭがインクジェットヘッド３１など他の部材に接触し詰まりが生じる可能性が高くなった状態である。
【００４５】
閾値は、予め実験やシミュレーションなどによって求めておくことができる。この閾値としては、例えば浮き状態が発生していない場合のメディアＭの温度（複数回の測定値の平均値又は最大値）よりも高い値に設定することができる。但し、この場合、メディアＭの詰まりが発生する可能性が高くなるような温度よりも低い温度とする。
【００４６】
制御部ＣＯＮＴは、判断部５５によって浮き状態が異常と判断された場合に、赤外線ヒーター５６による加熱を停止させる。この動作により、メディアＭの温度が上昇し過ぎるのを防ぐことができる。
【００４７】
なお、判断部５５は、検出された複数の単位領域の温度のうち最大値と最小値との差に基づいて浮き状態を判断する構成であっても構わない。この場合、判断部５５は、最大値と最小値との差が所定値を超える場合、浮き状態が異常と判断する。制御部ＣＯＮＴは、判断部５５によって浮き状態が異常と判断された場合に、赤外線ヒーター５６による加熱を停止させる。
【００４８】
上記のようにインクの乾燥動作を行った後、メディアＭを搬送方向の下流側に搬送する。メディアＭがアフターヒーター部４３に到達したら、当該アフターヒーター部４３に設けられた赤外線ヒーター５６を用いてメディアＭを例えば６０℃〜１２０℃程度の温度で加熱し、インクをメディアＭに定着させる。
【００４９】
インクをメディアＭに定着させる場合にも、メディアＭに浮き状態が発生する場合がある。これに対して、本実施形態では、定着動作を行う赤外線ヒーター５６に設けられた温度検出部５４を用いて、メディアＭの検出領域５７の温度を検出する。定着動作における加熱は、乾燥動作における加熱よりも加熱温度が高いため、温度分布若しくは局所的に温度が高い部分が顕著に現れることになる。判断部５５は、乾燥動作の場合と同様、検出結果を用いてメディアＭの浮き状態を判断し、浮き状態が異常と判断された場合に、加熱部５３による加熱を停止させる。この動作により、メディアＭの温度が上昇し過ぎるのを防ぐことができる。なお、定着動作を行う場合、検出領域５７に設定される単位領域５７ａの配置を乾燥動作の場合とは異なる配置とすることができる。例えば、マトリクスの行数や列数を変更することができる。
【００５０】
以上のように、本実施形態によれば、赤外線ヒーター５６に加熱されたメディアＭのうち複数の単位領域５７ａに区画された検出領域５７から放出される赤外線の線量に基づき単位領域５７ａごとに温度を検出する温度検出部５４と、当該温度検出部５４の検出結果に応じて支持部５１に対するメディアＭの浮き状態を判断する判断部５５とを有するので、メディアＭの浮き状態を高精度に検出することができる。これにより、高精度の搬送を行うことが可能となる。また、詰まり検出部などを別途設ける必要が無いため、プリンター１のスペースを省略することができる。
【００５１】
本発明の技術範囲は上記実施形態に限定されるものではなく、本発明の趣旨を逸脱しない範囲で適宜変更を加えることができる。  
例えば、上記実施形態においては、温度検出部５４が複数の赤外線ヒーター５６のそれぞれに設けられた構成を例に挙げて説明したが、これに限られることは無い。例えば、温度検出部５４が設けられない赤外線ヒーター５６が配置されていても構わない。
【００５２】
また、上記実施形態においては、温度検出部５４によって検出領域５７の温度を検出し、検出結果に応じて赤外線ヒーター５６による加熱を停止させる場合を例に挙げて説明したが、これに限られることは無く、例えば検出結果に応じて赤外線ヒーター５６による加熱温度を調整するようにしても構わない。
【００５３】
また、上記実施形態においては、加熱部４が、記録部３が設けられた位置よりも搬送方向上流側でメディアＭを予熱するプレヒーター部４１と、記録部３と対向する位置でメディアＭを加熱するプラテンヒーター部４２と、記録部３が設けられた位置よりも搬送方向下流側でメディアＭを加熱するアフターヒーター部４３とを有する構成を例に挙げて説明したが、これに限られることは無く、例えばプラテンヒーター部４２がない構成でも構わない。
【００５４】
図６は、検出結果に応じて加熱温度を調整する動作を示すフローチャートである。  
この動作を行うにあたり、まず赤外線ヒーター５６の加熱温度を調整する。上記実施形態の場合に当てはめれば、例えば乾燥動作を行う場合には４０℃〜５５程度とし、定着動作を行う場合には６０℃〜１２０℃とする。
【００５５】
この状態で、図６に示すように、温度検出部５４を用いて検出領域５７の温度を検出する（ステップ６０１）。次に、検出結果に基づいて、単位領域５７ａごとに温度の平均値を算出する（ステップ６０２）。その後、算出結果と閾値とを比較し、算出結果が閾値を超える場合には（ステップ６０３のＹＥＳ）、判断部５５は浮き状態が生じていると判断する。この場合、制御部ＣＯＮＴは、赤外線ヒーター５６の加熱温度が低くなるように調整する（ステップ６０４）。算出結果が閾値を超えない場合には（ステップ６０３のＮＯ）、上記ステップ６０１〜ステップ６０３を繰り返し行う。これにより、メディアＭの過度の温度上昇を防ぐことができる。
【００５６】
また、上記実施形態では、温度検出部５４による検出結果と閾値とを比較する場合を例に挙げて説明したが、これに限られることは無い。例えば、温度検出部５４による検出結果を保存しておき、保存した検出結果と新規の検出結果とを比較するようにしても構わない。
【００５７】
また、本実施形態においては、記録装置がプリンター１である場合を例にして説明したが、これに限らない。複写機及びファクシミリ等の装置であってもよい。また、記録装置としては、インク以外の他の流体を噴射したり吐出したりする記録装置を採用してもよい。
【００５８】
本発明は、例えば微小量の液滴を吐出させる記録ヘッド等を備える各種の記録装置に流用可能である。なお、液滴とは、上記記録装置から吐出される液体の状態をいい、粒状、涙状、糸状に尾を引くものも含むものとする。また、ここでいう液体とは、記録装置が噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状態、また物質の一状態としての液体のみならず、顔料や金属粒子などの固形物からなる機能材料の粒子が溶媒に溶解、分散又は混合されたものなどを含む。
【００５９】
また、液体の代表的な例としては上記実施形態で説明したようなインクが挙げられる。ここで、インクとは一般的な水性インク及び油性インク並びにジェルインク、ホットメルトインク等の各種液体組成物を包含するものとする。また、記録媒体としては、紙や塩化ビニル系フィルム等のプラスチックフィルム以外に、薄く熱伸びする機能紙、基板や金属板などを包含するものとする。
【符号の説明】
【００６０】
Ｍ…メディア  ＣＯＮＴ…制御部  ＭＡ１…第一部分  ＭＡ２…第二部分  １…プリンター  ２…搬送部  ３…記録部  ４…加熱部  ２３…搬送ローラー対  ３１…インクジェットヘッド  ３２…キャリッジ  ５１…支持部  ５１ａ…案内面  ５２…駆動部  ５３…加熱部  ５４…温度検出部  ５５…判断部  ５６…赤外線ヒーター  ５６ａ…筐体  ５６ｂ…発熱部  ５６ｃ…反射部  ５７…検出領域  ５７ａ…単位領域
【図１】
0005899955.tif 000002
【図２】
0005899955.tif 000003
【図３】
0005899955.tif 000004
【図４】
0005899955.tif 000005
【図５】
0005899955.tif 000006
【図６】
0005899955.tif 000007